(57)【要約】      （修正有）【課題】高い安全性を有し、風漏れを大幅に低下させた空気清浄機を提供する。【解決手段】空気浄化機は、吸気口、吐出口を含むカバーを備え、カバーには電場フィルタ、風道、送風機が設けられている。電場フィルタは濾過枠と濾過網台座を備え、濾過枠は吐出口に設けられ、濾過枠はフィルタを備え、濾過網台座は濾過枠の下側に設けられ、風道の一端は濾過網台座に連結され、他端は送風機に連結され、送風機は吸気口に設けられ、濾過枠は濾過網台座と一体成形の密封体になる。【選択図】図１
0003167888.tif 000002
【実用新案登録請求の範囲】
【請求項１】
空気浄化機であって、吸気口、吐出口を含むカバーを備え、当該カバー内に電場フィルタ、風道と送風機が設けられ、前記電場フィルタは濾過枠と濾過網台座を備え、前記濾過枠は前記吐出口に設けられ、当該濾過枠にはフィルタが設けられ、濾過網台座は当該濾過枠の下側に設けられ、前記風道の一端は前記濾過網台座に連結され、他端は前記送風機に連結され、当該送風機は前記吸気口に設けられ、前記濾過枠は前記濾過網台座と一体成形の密封体になることを特徴とする空気浄化機。
【請求項２】
前記電場フィルタは、上遮蔽網、下遮蔽網、高圧放電ワイヤを備え、前記高圧放電ワイヤとフィルタは共に当該上遮蔽網、下遮蔽網の間に設けられていることを特徴とする請求項１記載の空気浄化機。
【請求項３】
前記高圧電場フィルタの外部に高圧コネクターが設けられ、当該高圧コネクターの外部にコネクター上カバーが設けられ、前記カバーに当該コネクター上カバーに対応するコネクター下カバーが設けられていることを特徴とする請求項２記載の空気浄化機。
【請求項４】
前記濾過枠と濾過網台座の側面はくさび形になっていることを特徴とする請求項１から３のいずれか１項記載の空気浄化機。
【請求項５】
前記高圧コネクター上、下カバーは耐火絶縁材料からなることを特徴とする請求項１から３のいずれか１項記載の空気浄化機。
【請求項６】
前記上、下遮蔽網の間は、銅片により電気的に接続されていることを特徴とする請求項１から３のいずれか１項記載の空気浄化機。
【請求項７】
前記フィルタは波浪形に折り畳んだ繊維濾過紙であることを特徴とする請求項１から３のいずれか１項記載の空気浄化機。
【請求項８】
前記高圧放電ワイヤはタングステンフィラメントであることを特徴とする請求項２から３のいずれか１項記載の空気浄化機。  
【考案の詳細な説明】
【技術分野】
【０００１】
本実用新案は空気浄化技術分野に関し、特に空気浄化機に関する。
【背景技術】
【０００２】
人々の生活品質に対する要求はますます向上しており、どのように周囲環境の空気品質を浄化するのかは、解決しなければならない問題になっている。空気浄化機と消毒機は、この問題を解決する為のものであり、空気浄化機は、空気中の異物、埃など不良物を濾過又は減少する機器であり、消毒機は、空気中の細菌、病菌など微生物を殺す機器である。
【０００３】
現在、市販の空気浄化機として、主に普通濾過浄化機と電子式除塵装置がある。普通の浄化機は、吸気口に濾過用のフィルタを備えて、濾過効果はフィルタとして使用されるフィルタ材と緊密に関連し、通常、販売されるフィルタは、大体にプライマリーフィルタ（１次フィルタ）又は少量の中性能フィルタであるので、濾過効果が悪い。電子式除塵装置では、空気が高圧静電板を経由する時に、高圧吸着作用により、埃を静電板に集めるが、この除塵の効果もプライマリー性能級別以下である。市販の消毒機は、消毒方式によって、オゾン消毒、ＵＶ灯消毒、光触媒消毒などの幾つかの種類に分けられ、前の二種類の消毒方式は、スタッフが消毒現場に滞在しないことを要求する。
【０００４】
空気浄化としては除塵と消毒という二工程を含むべきであり、従来の空気浄化機は、空気の中の異物を排除することはできるけれど、浄化効果は理想状態に到達できず、空気を効率的に消毒できず、消毒機は空気を効率的に消毒できるけれど、除塵を実施できない。そのため、これらの製品は、空気を全面的に浄化することができない。
【０００５】
最近、空気に対する除塵と消毒という二工程が実施可能な新型の空気浄化機が出現している。該装置は、電源接続部品と電気的に接続する空気送風機、該空気送風機と係合するイオン化構成部品、及び電源部品と電気的に接続する第１制御グリッドと１つの高圧グリッドを備える。その中で、イオン化構成部品に密封状態かつ着脱可能に取り付けられている初級濾過構成部品を備える。前記初級濾過構成部品は、１つの濾過隔膜と１つの第２制御グリッドを備える。初級濾過構成部品とイオン化構成部品の係合により、第２制御グリッドと第１制御グリッドの間に第１の電離場が生じて、更に、高圧グリッドと第２制御グリッドの間に第２の電離場が生じる。当該製品は、空気の中で、除塵及び消毒を実施することができる。
【０００６】
但し、前記イオン化構成部品と初級濾過構成部品は、それぞれ独立する２つの構成部品なので、次のような幾つかの主な欠点がある。先ず、製品安全性を大幅に低下させ、初級濾過構成部品を取り外す際に、イオン化構成部品が、ずっと高圧状況を維持しているため、利用者の安全が守られない。次に、イオン化構成部品と初級濾過構成部品の間に、必ず隙間が存在するため、風漏れの問題が発生する。又は、イオン化構成部品が交換できないため、長期使用により埃が蓄積され、イオン化構成部品の絶縁効果が低下し、二次汚染が発生し、高圧放電等の不良結果に至る。最後に、イオン化構成部品の高圧接続方式は、露出方式を採用したため、保守及び交換する際に異常が発生するおそれがある。
【考案の概要】
【考案が解決しようとする課題】
【０００７】
本考案は、高い安全性を有し、風漏れ程度が低い空気浄化機を提供することを課題とする。
【課題を解決するための手段】
【０００８】
上記技術上の問題を解決するため、本考案は次のような技術案を採用する：
空気浄化機において、吸気口、吐出口を含むカバーを備え、該カバーに電場フィルタ、風道、送風機が設けられ、前記電場フィルタは濾過枠と濾過網台座を備え、前記濾過枠は前記吐出口に設けられ、当該濾過枠に１つフィルタが設けられ、濾過網台座は当該濾過枠下側に設けられ、前記風道の一端は前記濾過網台座に接続され、他端は前記送風機に接続され、当該送風機は前記吸気口に設けられ、前記濾過枠と前記濾過網台座は一体成形の密封体になる。
【考案の効果】
【０００９】
この構成を採用すると、濾過枠と濾過網台座は全体として一体成形しているので、電場フィルタを取り外す際に、電源との切断が自動的に実現でき、効率的に電撃事故の出現を防止し、製品安全性を向上させ、電場フィルタの交換がもっと簡単になり、一回で電場フィルタ全体を交換することができる。更に、濾過枠と濾過網台座の間に隙がないため、風漏れの程度を大幅に減少することが可能になる。
【図面の簡単な説明】
【００１０】
【図１】本考案の実施形態おける空気浄化機の構造を示す。
【図２】図１における空気浄化機の上面図である。
【図３】図１の中の電場フィルタの構造を示す。
【図４】図１の中の電場フィルタの内部分解図である。
【図５】図１の中のコネクターの上下カバーを示す。
【図６】図１の中の濾過枠と濾過網台座の一体成型構造を示す。
【図７】図１の中の放電ワイヤ固定台の構造を示す。
【図８】図１の中の下固定板の構造を示す。
【考案を実施するための形態】
【００１１】
本考案の解決しようとする技術問題、技術案と優位性を更に理解してもらうため、下記において、図示と実施例を合わせながら、本考案を更に詳しく説明する。ここに描写した実施例は、ただ本考案を解釈するだけであり、本考案を限定することではない。
【００１２】
図１乃至図８に示すように、本考案の空気浄化機は、吸気口１１、吐出口１２を含むカバー１を備え、該カバー１に電場フィルタ２、風道３と送風機４が設けられている。
【００１３】
図１に示すように、前記電場フィルタ２は、濾過枠２１と濾過網台座２２を備え、前記濾過枠２１は前記吐出口１２に設置され、当該濾過枠２１は一つのフィルタ２１１を備え、濾過網台座２２は当該濾過枠２１の下側に設けられている。前記風道３の一端は前記濾過枠２１に連結され、他端は前記送風機４に連結され、該送風機４は前記吸気口１１に設置され、前記濾過枠２１と前記濾過網台座２２は一体成形の密封体になっている。更に、図２に示すように、カバー１は、前カバー１３と後カバー１４を含み、ボタン１５はトップ部に設けられ、引き出し便利性を工夫して、トップ部にハンドル溝１６を設ける。
【００１４】
濾過枠２１は濾過網台座２２と全体として一体成形しているため、電場フィルタを取り外す際に、電源オフが自動的に実現でき、電撃事故を効率的に防止し、製品の安全性を向上させると共に、電場フィルタの交換が更に簡単になり、一回で電場フィルタ全体を交換することができる。更には、濾過枠２１と濾過網台座２２の間に隙間がないため、風漏れを大幅に低下させることが可能になる。
【００１５】
他の具体的実施範例として、図３、図４に示すように、前記電場フィルタ２は、上遮蔽網２３、下遮蔽網２４、高圧放電ワイヤ２５を含み、前記高圧放電ワイヤ２５とフィルタ２１１は共に前記上遮蔽網２３、下遮蔽網２４の間に設けられ、前記フィルタ２１１は高圧放電ワイヤ２５と上遮蔽網２３の間に設けられている。具体的には、電場フィルタ２の両側には、二つの高圧コネクター５が設けられ、当該高圧コネクター５は高圧放電ワイヤ２５に電気的に接続されることにより高圧を受け入れる。それで、高圧コネクター５により、上遮蔽網２３、下遮蔽網２４の間の高圧放電ワイヤ２５に高圧を提供する時、強電場を形成して、それで、電場における繊維濾過紙の濾過効果を向上させると共に、電場の細菌と病毒を殺すことができる。
【００１６】
更に、図４、図７、図８に示すように、前記電場フィルタ２は、一つの放電ワイヤ固定台２９と下固定板２２１を含み、当該放電ワイヤ固定台２９は、前記濾過網台座２２に設けられ、前記高圧放電ワイヤ２５は、当該放電ワイヤ固定台２９に固定され、当該放電ワイヤ固定台２９の両側に、それぞれ接着剤注入部２９１を設置し、ここで、接着剤を注入することにより、高圧放電ワイヤ２５の糸口を密封して、先端放電を防止することができる。前記下固定板は、前記濾過網台座２２の下側に設けられ、固定の役割を果たす。前記上遮蔽網２３と下遮蔽網２４は、銅片２６で電気的に接続させることができる。前記フィルタ２１１としては、波浪形に折り畳んだ繊維濾過紙が好ましい。高圧放電ワイヤ２５は、既存技術により提供した各種製品であり、本実施例では、タングステンフィラメントを採用する。
【００１７】
図３、図６に示すように、前述技術方案の更なる改良案として、前記電場フィルタ２の外部に一つのコネクター上カバー２７を設け、前記カバー１には、一つの前記コネクター上カバー２７と対応するコネクター下カバー２８を設ける。当該コネクター上カバー２７は前記高圧放電ワイヤ２５と電気的に接続され、それで、高圧線の間の接続は、コネクター５、上カバー２７、下カバー２８の内部の密封空間で行われるため、安全性を向上させると共に、接続の安定性を改善する。更に、放電による火災を防止するため、前記コネクター上カバー２７、コネクター下カバー２８として耐火材料を採用することができる。
【００１８】
前述技術方案の更なる改良案として、図５に示すように、前記濾過枠２１と濾過網台座２２からなる全体外枠の側面をくさび形２１２にして、当該外枠に対応するカバー１部分もそれに対応する構成に設計する。それにより、装着する際にガイドすることができると共に、製品の密封性を効率的に向上させ、風漏れを減少する。
【００１９】
前記は、本考案の好ましい実施例であり、本考案を制限することではない、本考案の精神と原則に基づいた範囲以内に実施したいかなる修正、同等の代替と改善は、全て本考案の保護範囲以内に含められる。
【図１】
0003167888.tif 000003
【図２】
0003167888.tif 000004
【図３】
0003167888.tif 000005
【図４】
0003167888.tif 000006
【図５】
0003167888.tif 000007
【図６】
0003167888.tif 000008
【図７】
0003167888.tif 000009
0003167888.tif 000010
【図８】
0003167888.tif 000011
0003167888.tif 000012